(57)【要約】【課題】焦点板上に形成された被写体像と表示素子に形成された映像を、共通の接眼手段を介して観察することができるファインダーにおいて、焦点板上の被写体像と表示素子の映像双方を明るく観察出来るファインダーを提供すること。【解決手段】所定面上に形成した被写体像に基づく光束を、正立像形成部材と光軸に対して異なる角度で配置した２つ以上の光学面を通過させて、接眼レンズに導光する観察系と、該正立像形成部材の近傍に設けた表示素子からの光束を、該２つ以上の光学面で反射させて、該接眼レンズに導光する表示系とを有し、該観察系と該表示系とを利用して該被写体像と該表示素子の双方を同一視野で観察するファインダー系において、該光学面のうちの１つには、エアギャップが設けられており、表示系からの光線は、少なくとも１回全反射することを特徴とするファインダー系。【選択図】図１
2016045269.tif 000002
【特許請求の範囲】
【請求項１】
所定面上に形成した被写体像に基づく光束を、正立像形成部材と光軸に対して異なる角度で配置した２つ以上の光学面を通過させて、接眼レンズに導光する観察系と、該正立像形成部材の近傍に設けた表示素子からの光束を、該２つ以上の光学面で反射させて、該接眼レンズに導光する表示系とを有し、該観察系と該表示系とを利用して該被写体像と該表示素子の双方を同一視野で観察するファインダー系において、該光学面のうちの１つには、エアギャップが設けられており、表示系からの光線は、少なくとも１回全反射することを特徴とするファインダー系。
【請求項２】
エアギャップが設けられた光学面の法線と、ファインダー光軸との成す角度をθ、該正立像形成部材の屈折率をｎとすると、
０．６０  ＜  ｎ×ｓｉｎθ  ＜  ０．９５  
を満たすことを特徴とする請求項１に記載のファインダー系。
【請求項３】
前記光学面のうちの１つの光学面は、ファインダー光軸と平行な方向に入射する光線の波長４００ｎｍから６００ｎｍの間の平均透過率をＴ４００−６００としたとき、
５０％  ＜  Ｔ４００−６００  ＜  ９０％  
を満たすことを特徴とする請求項１に記載のファインダー系。
【請求項４】
前記光学面のうちの１つの光学面は、ダイクロイックミラーであり、ファインダー光軸と平行な方向に入射する光線の平均透過率が５０％になる波長をλｈ（ｎｍ）としたとき、
６００ｎｍ  ＜  λｈ  ＜  ７００ｎｍ  
を満たすことを特徴とする請求項１に記載のファインダー系。
【請求項５】
請求項１乃至請求項５の何れか一項に記載のファインダー系と、回転可動な反射ミラーと、撮影レンズと、撮像素子を有し、該反射ミラーが該撮影レンズの光軸上に存在する時は、表示素子は撮影情報を表示し、該反射ミラーが該撮影レンズの光軸から退避した時は、表示素子は該撮像素子からの映像信号を表示することを特徴とする一眼レフレックスカメラ。
【発明の詳細な説明】
【技術分野】
【０００１】
本発明は、ファインダー系及びそれを用いた光学機器に属し、特に焦点板上に形成された被写体像と表示素子に形成された映像を、共通の接眼手段を介して観察することができるようにした写真用カメラ、ビデオカメラに好適なものである。
【背景技術】
【０００２】
従来より、共通の接眼手段を介して光学ファインダーに表示素子の映像を重畳して表示したり、切り替えたりすることが出来るカメラが提案されている。特許文献１ではペンタプリズムと接眼光学系の間の光学面にダイクロミラーが蒸着されており、焦点板上に形成された被写体像に測距点枠を重畳させて観察するファインダーが開示されている。特許文献２では逆ガリレオ型ファインダーの観察光学系による像に、光路合成部材を用いて表示素子の表示を重畳させて観察するファインダーが開示されている。
【先行技術文献】
【特許文献】
【０００３】
【特許文献１】特許第４１５４０２２号公報
【特許文献２】特開２０１２−４２５６９号公報
【発明の概要】
【発明が解決しようとする課題】
【０００４】
しかしながら、上述の特許文献１に開示された従来技術では、ダイクロミラーの特性が４００ｎｍから６００ｎｍの範囲では反射率が０に近いため、赤以外の映像を観察することは難しい。さらに、特許文献２に開示された従来技術では、光路合成部材の観察光学系側の透過率が５０％であるため、一眼レフカメラでこの技術をしようすると光学ファインダーが暗くなってしまう。
【０００５】
そこで、本発明の目的は、焦点板上に形成された被写体像と表示素子に形成された映像を、共通の接眼手段を介して観察することができるファインダーにおいて、焦点板上の被写体像と表示素子の映像双方を明るく観察出来るファインダーを提供することにある。
【課題を解決するための手段】
【０００６】
上記目的を達成するために、本発明は、所定面上に形成した被写体像に基づく光束を、正立像形成部材と光軸に対して異なる角度で配置した２つ以上の光学面を通過させて接眼レンズに導光する観察系と、該正立像形成部材の近傍に設けた表示素子からの光束を、該２つ以上の光学面で反射させて、該接眼レンズに導光する表示系とを有し、該観察系と該表示系とを利用して該被写体像と該表示素子の双方を同一視野で観察するファインダー系において、該光学面のうちの１つには、エアギャップが設けられており、表示系からの光線は少なくとも１回全反射することを特徴とする。
【発明の効果】
【０００７】
本発明によれば、焦点板上に形成された被写体像と表示素子に形成された映像を、共通の接眼手段を介して観察することができるファインダーにおいて、焦点板上の被写体像と表示素子の映像双方を明るく観察出来るファインダーを提供することが出来る。
【図面の簡単な説明】
【０００８】
【図１】本発明の実施例に係るファインダー光学系の構成を示す断面図である。
【図２】本発明の実施例に係るダイクロコートの分光透過率特性を示すグラフである。
【図３】本発明の実施例に係るファインダー内の表示例を示す図である。
【図４】本発明の実施例に係るミラーアップ時のファインダー光学系の構成を示す断面図である。
【発明を実施するための形態】
【０００９】
図１は本発明のファインダー光学系の断面図である。撮影レンズ１、可動ミラー２を通り、焦点板３の拡散面上に形成された被写体像に基づく光束は、正立像形成部材４を通り、プリズム５、６と接眼光学系７を通って観察者の目に至る。
【００１０】
本実施例では、ファインダー光軸Ｆａに対してそれぞれ異なる方向に傾斜した２つの反射面５ａ、５ｂを含む正立像形成部材４とプリズム５，６から構成され、ファインダーの視野内の広範囲の領域へ表示素子からの光を重ねて表示することが出来る。さらに、反射面５ｂの法線とファインダー光軸Ｆａとの成す角度θは２７°、プリズム５の屈折率ｎは１．６５であり、次の条件式（１）を満たしている。
【００１１】
０．６０  ＜  ｎ×ｓｉｎθ  ＜  ０．９５    （１）
この条件式（１）は表示素子８からの光が反射面５ａにおいて全反射する条件を満たしつつ、焦点板３から接眼光学系７までの光学系の光路長を極力短くしてファインダー倍率が十分に大きい一眼レフカメラのファインダー光学系を実現するための条件である。条件式（１）の下限を下回ると、表示素子８からの光が反射面５ａにおいて全反射することが出来なくなり、条件式（１）の上限を上回ると、焦点板３から接眼光学系７までの光学系の光路長が長くなり、ファインダー倍率の低下が懸念される。
【００１２】
本実施例では、プリズム５とプリズム６の間の反射面５ｂには０．０１ｍｍ〜０．１ｍｍのエアギャップが設けられており、正立像形成部材４とプリズム５の間の反射面５ａにはダイクロイックミラーが設けられている。
【００１３】
表示素子８に形成された表示光はレンズ９と反射ミラー１０と正レンズ１１からなる表示光学系１２によって拡大され、プリズム５の入射面５ｃから入射する。さらに反射面５ｂで全反射され、反射面５ａによって反射され、ファインダー光軸Ｆａと平行に重畳される。そして接眼光学系７を通って観察者の目に至る。
【００１４】
ファインダー光軸Ｆａに平行な光線が反射面５ａのダイクロイックミラーに入射する時の分光透過率特性を図２に示す。本発明の反射膜は波長４００ｎｍ〜６００ｎｍの平均透過率Ｔ４００−６００が８０％であり、次の条件式（２）を満たす。
【００１５】
５０％  ＜  Ｔ４００−６００  ＜  ９０％      （２）
さらに、波長６３５ｎｍ以上では、透過率が５０％以下となる。ファインダー光軸Ｆａと平行な方向に入射する光線の平均透過率が５０％になる波長をλｈ（ｎｍ）としたとき、次の条件式（３）を満たす。
【００１６】
６００ｎｍ  ＜  λｈ  ＜  ７００ｎｍ      （３）
上記条件式（２）（３）を満たすことによって、光学ファインダーを明るく保ちつつ、図３（ａ）のように、赤い測距枠１６を重畳させて表示する場合も視認性が良い。また、図３（ｂ）のように各種メニュー表示１７を重畳させて表示することも可能である。
【００１７】
図４は、可動ミラー２を撮影光軸から退避（ミラーアップ）させて、撮影レンズ１の像を撮像素子１３に結像され、撮像素子１３からの映像を、信号処理装置１４を介して表示素子８にライブビュー表示する実施形態である。表示素子８にライブビュー表示された映像は表示光学系１２によって拡大され、プリズム５、６、接眼光学系７を通って観察者の目に至る。
【００１８】
反射面５ａのダイクロイックミラーの反射率特性が長波長側で高くなっているため、信号処理装置１４もしくは表示素子の照明装置１５によって色補正する。
【００１９】
さらに、ミラーアップ後に撮影した画像の閲覧やメニュー表示を表示素子８を介して行うことも可能である。
【００２０】
つまり、本実施例におけるカメラでは、焦点板１に形成された被写体像の他に、ライブビュー表示における被写体映像、撮影後の画像、各種メニュー表示を同じ接眼レンズを通して観察することが可能である。
【００２１】
以上、本発明の好ましい実施形態について説明したが、本発明はこれらの実施形態に限定されず、その要旨の範囲内で種々の変形及び変更が可能である。
【符号の説明】
【００２２】
１  撮影レンズ、２  可動ミラー、３  焦点板、４  正立像形成部材、５  プリズム、
５ａ  反射面、５ｂ  反射面、６  プリズム、７  接眼光学系、８  表示素子、
９  レンズ、１０  反射ミラー、１１  正レンズ、１２  表示光学系、１３  撮像素子、
１４  信号処理装置、１５  照明装置、１６  測距枠表示、１７  情報表示、
Ｆａ  ファインダー光軸
【図１】
2016045269.tif 000003
【図２】
2016045269.tif 000004
【図３】
2016045269.tif 000005
【図４】
2016045269.tif 000006